(57)【要約】      （修正有）【課題】有限資源である化石燃料を使うことなく、余剰エネルギーを小型で持ち運び可能な装置に一旦貯蔵し、必要な時に必要な場所に出前し貯蓄したエネルギーを利用できる装置を提供する。【解決手段】入力側回転軸６とこの軸の回転力をラックギア４に伝える歯車５−１，５−２，５−３とラックの移動により伸縮するスプリング２を備え、歯車５−３にはエネルギー放出側回転軸８を配置する。入力側回転軸６から得たエネルギーを歯車５−１，５−２，５−３を介してスプリング４に貯蔵し必要時にエネルギー放出側回転軸８から取り出す。【選択図】図１
2008223747.tif 000002
【特許請求の範囲】
【請求項１】
落下の位置エネルギーや回転による運動エネルギーを一旦貯蓄保存し、必要な時、必要な場所で自在に利用できる歯車とラックギアとスプリング機構で構成するエネルギー貯蓄システム。
【請求項２】
エネルギーの伝達機構を歯車若しくは回転伝動ベルト又は回転式伝導装置や摩擦機構で構成する請求項１のエネルギー貯蓄システム。
【請求項３】
下り坂で発生する天然加速エネルギーを蓄え、その貯蓄エネルギーを他の場所で利用することを特徴とする請求項１のエネルギー貯蓄システム。
【請求項４】
位置エネルギーや回転エネルギーや運動エネルギーを手動で蓄え若しくは手動で利用する機構を装着したことを特徴とする請求項１のエネルギー貯蓄システム。
【請求項５】
圧縮空気や、持ち上げた重量物を動力源として利用することを特徴とする請求項１のエネルギー貯蓄システム。
【請求項６】
動力車、機械装置、等の運転中若しくは制動中に発生する余剰エネルギー、を取り出し利用することを特徴とする請求項１のエネルギー貯蓄システム。
【請求項７】
回転体に弾み車を取り入れたことを特徴とする請求項１のエネルギー貯蓄システム。
【発明の詳細な説明】
【技術分野】
【０００１】本発明は、日常の生活行動の中で発生する小さなエネルギーを見出しこれを有効に貯蓄し出来るだけ公害を出さない且つエントロピーの増大には影響しない利用法を見出し、化石燃料などを使用しないエネルギーの開発に関するものである。
【背景技術】
【０００２】昨今における日常の生活空間で利用するエネルギー源としては、いずれは必ずや枯渇する有限資源である化石燃料や電力に、そのほとんどを頼っております。しかしクリーンなイメージの電力でさえもその数割の熱源は化石燃料が占め、よりクリーンなイメージの原子力は核問題やその核燃料廃棄物問題でも、未だに沢山の未解決の問題を抱えております。そこで本発明は日常の生活の中で発生する、クリーンなエネルギーを見出しそれを移動可能な状態で保存し、必要な時に必要な場所に出前し、その保存エネルギーを取り出して利用する持ち運び可能なエネルギーシステムを提供することであり、本発明は地球温暖化に大きな影響を及ぼすと云われておりますＣＯ２問題でも少なからずや影響をあたえる発明であります。先願の特許文献の特許公開２００３−１６１３５９号は非常に良い案であり目的とするところは同様であるものの、利用度が非常に限定的で一定の範囲内に限定されたものであり、又特許公開２００４−７６７１３号に開示されている発明は本件発明とは、違った観点からのエネルギー回収案であり、本件発明はこれらの発明とは、基本発想を根本的に異にするエネルギー利用に関する技術を提供するものである。
【特許文献１】  特許公開２００４−７６７１３号公報  特許公開２００３−１６１３５９号公報
【発明の開示】
【発明が解決しようとする課題】
【０００３】本発明は、かかる問題点に鑑みてなされたもので、その目的は、一切の化石燃料を使うことなく小型で持ち運び可能で、必要な時に必要な場所に出前し、貯蓄したエネルギーを利用する、または直接対象物に常設若しくは取り付けることにより常時使用可能とするものであり、又余剰エネルギーを無駄に捨てることなく保存し、いささかでも化石燃料の使用を低減できるよう鑑みてなされた発明でありその装置を提供することである。
【課題を解決するための手段】
【０００４】化石燃料を使わずに。小型で持ち運び可能なエネルギーを必要な時に必要な場所に出前し、貯蓄したエネルギーを利用する、または直接対象物に常設若しくは取り付けて利用するという上記の思想は、下記構成の本発明によって解決することができる。すなわち、本発明の歯車の外周比率の違いとスプリングの持つ弾性体を利用することにより日常何気なく無駄に放出しているエネルギーを一旦貯蔵し、その放出は瞬間的に放出するのでなく出来るだけ長時間で安定的に放出することにより、貯蔵エネルギーを各種装置に放出利用する技術を提供する・
【発明の効果】
【０００５】石炭やガソリン、軽油などの化石燃料をその動力源とする動力車は、化石燃料の浪費はもとより地球温暖化問題でも、多大な影響を及ぼしており本発明はこれらの悪影響を少しでも逓減することができるよう鑑みてなされたもので、その目的は、小型で持ち運び可能なエネルギーを必要な時に必要な場所に出前し、或いは既存の装置に部品の一部として取り付け、貯蓄したエネルギーを利用するもので、関係機器の利便性を高め、組み込んだ機器の機能を高性能化し既存機器を格段にグレードアップ化するものである。
【発明を実施するための最良の形態】
【０００６】本発明のエネルギー貯蓄システムの構造とその作用機能を図面で説明する。
図１は、本発明の全体構造図であり、支点１から最下部まで延びるラックギアは拡大した図２の外側カップリングパイプ９並びに内側カップリングパイプ１２の内部を貫通してラックギア４から図１に示す、最下部の回転歯車５−１に繋がる。
図２における内側カップリングパイプ１２と外側カップリングパイプと９の間にはスプリング２を挟み込んだ状態で一体化、いわゆる伸縮自在な弾性体としてセット化し、エネルギーの貯蔵必要量の多寡の加減については、セット数の増減で応じることが可能であり、通常の状態は図１のロックギア３のスプリング圧により、ラックギア４から歯車機構５−１に接続され、連結遮断スイッチ７のオンオフによりエネルギーの保存や放出は自在に遮断が可能である。【０００７】又、エネルギーの放出に要する必要時間はスプリングの伸縮に要する時間でも有り、同様に歯車の回転スピードの時間とも同じ経過時間となる。いわゆる回転歯車７−１歯車７−２、或いは歯車７−３の組み合わせの多寡、並びに回転歯車数の増減によりエネルギー放出の速度調整が自在に可能であると共に、ラックギアの上下速度も同時に調節が可能であり、長時間の安定的エネルギーの利用が可能となる。【０００８】エネルギーの保存については、図１の場合、運動エネルギーとして入力側回転軸６から歯車５−３、５−２、５−１を経由し、そしてラックギア４を通じて各スプリング２に貯蔵されロックギア３により保存される。歯車との遮断は遮断スイッチ７の引っ張りにより遮断される。エネルギー貯蔵の増減対応については、必要に応じたスプリング数の多寡で対応が可能となる。【０００９】貯蔵したエネルギーの放出については図１のロックギア３を外すことにより、エネルギーが貯蔵されたスプリングの力によりラックギア４が下方に押され歯車５−１からエネルギーの貯蔵と逆方向に伝わりエネルギーの放出側回転軸８に回転エネルギーとして伝達且つ放出される為、同軸にエネルギーを必要とする機材を接続すればよい。【００１０】図２は本発明のスプリング機構の拡大断面図であり、内側カップリングパイプ１２と外側カップリングパイプ９のスライドで上下し、スプリングの伸縮でエネルギーの貯蔵＆放出が可能となる。またエネルギーの貯蔵や放出役のスプリングは板バネやゼンマイバネでもよく、機構のサイズ次第ではゴム材その他弾性体機能があればその材質を問わない。
【実施例１】
【００１１】実施例によって本発明を説明する。
自転車の後部座席に積載した本発明の装置と、特注した後輪軸とをチェーンで連結し、本装置のラックギアを下方に押し出す圧力は、スプリング上部に重量物を載せることで対応するように装着した後、上り坂で試験走行した処、載せる重量物に限界がある為、距離は２０ｍ足らずでしたが立派に上り坂を、人力を使わず自転車本体の自力で登坂することができ、本発明の実証性が確認された。
【産業上の利用可能性】
【００１２】以上詳記したように、本発明は化石燃料を使わずに。小型で持ち運び可能なエネルギーを、必要な時に必要な場所に出前し、貯蓄したエネルギーを利用する、または直接対象物に常設若しくは取り付けての利用が可能であり、その放出は瞬間的に放出するのでなく出来るだけ安定的且つ時間を要して放出することにより、貯蔵したエネルギーを徐々に利用することが可能であり、本装置を自転車系の足を動力源とする車両などの荷台等に積載し、チェーンやベルトなどの伝動機構を通じて本体回転部と接続すれば、電機自転車と同じように足の不自由な方でも自転車系車両が利用可能となる。【００１３】又、電気の貯蔵能力を持つバッテリー等を除けば、一般に電気は貯蔵することが出来ない性質を持っております。又揚水発電などは電気の貯蔵というより余剰電力の利用が目的でありこれこそ電気が貯蔵できないからこその知恵であり、基本的には貯蔵できないのが電力であります。本発明の場合、電力をモーターの回転力に変換し、運動エネルギーとしての回転エネルギーを最終的にはスプリングにそのエネルギーを一旦貯蔵し、その貯蔵したエネルギーの放出に際しては、再度回転エネルギーとして、いわゆる直接元の回転動力として、或いは回転力で直接発電機を回し、損失分は別として元の電力そのものに復元することも可能である。これらの技術は地球温暖化対策にも少なからず貢献が可能な技術でありその目的は、小型で持ち運び可能なエネルギーを必要な時に必要な場所に出前し、或いは既存の装置に部品の一部として取り付け、貯蓄したエネルギーを利用するもので、関係機器の利便性を高め、組み込んだ機器の機能性を高性能化し既存機器を格段にグレードアップ化するものであり、それも人力のみでも可能な装置であり、省エネ効果など産業上においても多大の貢献をなし得るものである。
【図面の簡単な説明】
【００１４】
【図１】本発明の全体構造図
【図２】本発明のスプリング機構の拡大断面図
【符号の説明】
【００１５】１      支点
２      スプリング
３      ロックギア
４      ラックギア
５−１  歯車
５−２  歯車
５−３  歯車
６      エネルギー貯蔵側回転軸
７      連結遮断スイッチ
８      エネルギー放出側回転軸
９      外側カップリングパイプ
１０    フランジ穴（ボルト用穴）
１２    内側カップリングパイプ
１３    ラックギア心棒
１４    固定ピン
【図１】
2008223747.tif 000003
【図２】
2008223747.tif 000004